(57)【要約】【課題】ゴルフにおける左手（右利きの場合）の握りにおいて、特に手の甲側における親指と人差し指のＶ字握りを強制的に行うことが出来ながら、握りに窮屈さを感じることなくスムースなスイングを行い得るようにすること。【解決手段】親指挿入部２の人差し指挿入部３側の側部とを一体的に連結する連結部６が設けられているゴルフ用手袋で、前記連結部６の手の甲側において、伸縮性を備えた繋ぎ部材７が介在され、前記人差し指挿入部３と親指挿入部２との相対変位僅かに許容するように構成した。【選択図】　　　図１
2004041653.tif 000002
【特許請求の範囲】
【請求項１】
親指挿入部２の人差し指挿入部３側の側部と、該人差し指挿入部３の親指挿入部２側の側部とが、その付け根部から親指の第一関節近傍位置に亘って一体的に連結する連結部６が設けられているゴルフ用手袋であって、
前記連結部６の手の甲側において、伸縮性を備えた繋ぎ部材７が介在され、前記人差し指挿入部３と親指挿入部２との相対変位僅かに許容するように構成したことを特徴とするゴルフ用手袋。
【請求項２】
前記連結部６の繋ぎ部材７がニット編みにより構成されている、請求項１のゴルフ用手袋。
【請求項３】
前記連結部６の繋ぎ部材７が伸縮性素材の布体によって構成されている、請求項１のゴルフ用手袋。
【請求項４】
前記連結部６の連結手段が接着又は逢着である、請求項１乃至請求項３のゴルフ用手袋。
【発明の詳細な説明】
【０００１】
【発明の属する分野】
本発明は、ゴルフクラブを握るときに用いるゴルフ用手袋に関するものである。
【０００２】
【従来の技術】
ゴルフクラブの使用に際して、滑りをなくし、握りを確実にするために通常、左手に手袋をはめる（右利きのプレーヤー）。
このような手袋は、通常の防寒用手袋や作業用手袋と同様に、図４に示す如き５本指の手袋である。５本指の手袋は、当然に親指挿入部２と人差し指挿入部３とが分岐された構造となっている。
【０００３】
ところで、ゴルフクラブに対する左手の握りは、左右の腕の力をバランスよく使用するために、人差し指と親指との間にＶ字を形成するのが好ましいとされている。つまり、グリップは、正確なショットを放つために必要な、足の位置のスタンス、バックスイング、ダウンスイング、インパクト、フォロースルー、及びフィニッシュと呼ばれる各基本要素と同じに重要な要素の一つである。
【０００４】
このグリップは、前述のＶ字を形成するに際し、人差し指と親指とを、その付け根部から親指の略第一関節部近傍に亘って強固に密着させることが重要である。こうしたＶ字握りは、これまでは、自ら意識して矯正するように心がけるしか方法が無かったものであるが、このような意識を十分に持っていても、バックスイング等でクラブがトップの位置に移動するとき、或いは、ダウンスウィングに移行するときに肘を伸ばす等して握りに負担がかかり、握力の弱いプレーヤーでは、そのＶ字握りの型を崩してしまうことが多かった。
【０００５】
こうした問題を解決せんとして、本発明者は、前述のＶ字握りが自然に得られるようにゴルフ用手袋を改良することを提案している。
即ち、このゴルフ用手袋は、親指挿入部の人差し指挿入部側の側部と、該人差し指挿入部の親指挿入部側の側部とが、その付け根部から親指の第一関節近傍位置に亘って一体的に連結する連結部が設けられているものである。
これによって、人差し指と親指の付け根部側が強制的に密着してＶ字を形成することができ、従って、握力に関係なくそのＶ字を維持し得て正確なショットを放つことに役立つのである。
【０００６】
【発明が解決しようとする課題】
上述のようにゴルフ用手袋自体に特殊な改良を施すことで、親指と人差し指のＶ字握りを維持できるようになったのであるが、実際の着用とプレイに際して、強制的な握りによる違和感や、窮屈さを感じることがあって、スムースなスイングに支障を来たしていた。
つまり、握りとして好ましいＶ字を維持したいが、親指部と人差し指部の連結固定という構造が、Ｖ字を強制することとなって、こうした問題を引き起こしているものと考えられ、何らかの対処策が望まれる。
【０００７】
本発明は、かかる問題を解決し、左手（右利きの場合）の握りにおいて、親指と人差し指のＶ字握りを強制的に行うことが出来ながら、握りに窮屈さを感じることなくスムースなスイングを行い得るようにすることを目的とする。
【０００８】
【課題を解決するための手段】
本発明にかかるゴルフ用手袋は、上記課題を解決するべく、親指挿入部２の人差し指挿入部３側の側部と、該人差し指挿入部３の親指挿入部２側の側部とが、その付け根部から親指の第一関節近傍位置に亘って一体的に連結する連結部６が設けられているゴルフ用手袋であって、前記連結部６の手の甲側において、伸縮性を備えた繋ぎ部材７が介在され、前記人差し指挿入部３と親指挿入部２との相対変位僅かに許容するように構成したものである。
【０００９】
【発明の実施の態様】
本発明において、前記連結部６の繋ぎ部材７がニット編みにより構成されているのが好ましい。また、前記連結部６の繋ぎ部材７が伸縮性素材の布体によって構成されていても良い。
要するに、親指と人差し指が、少なくとも手の甲側において、Ｖ字握り４の状態から互いに僅かに相対変位、即ち、指の幅方向及び長手方法の動きが僅かに許容されれば良いことが分かったもので、この作用を期待できれば良いのである。又、本発明において、前記連結部６の連結手段が接着又は逢着であるのが好ましい。
【００１０】
本発明における手袋の素材については、天然皮革、合成皮革等の適宜の素材が用い得る。また、繋ぎ部材７のニット編みは、ラッセルによる伸縮性を備える編み方であれば良く、更に、伸縮性を備える織布が用いられてもよい。
また、伸縮性素材を用いる場合に、開発の進んでいる機能性繊維と呼ばれるものや、ゴム等であっても良く、編成、織、シート等、その形態を問わない。
【００１１】
【実施例】
以下、本発明にかかるゴルフ用手袋の好適実施例について、図面を参照して詳述する。
図１に示すのは、ゴルフ用手袋の使用状態を示す斜視図、図２は、その背面図、図３は、その正面図である。
【００１２】
図１乃至図３に示すように、親指挿入部２の人差し指挿入部３側の側部と、該人差し指挿入部３の親指挿入部２側の側部とが、その付け根部から親指の第一関節近傍位置に亘って一体的に連結する連結部６が設けられている。図中、５は、マジックテープ方式の留めバンドである。
【００１３】
そして、前記連結部６の手の甲側には、伸縮性を備えた繋ぎ部材７が介在され、図１に示す如く、前記人差し指挿入部３と親指挿入部２との相対変位僅かに許容するように構成されている。
この実施例では、前記連結部６の繋ぎ部材７が、それ自体公知の伸縮性素材の布状体によって構成されている。しかし、前記連結部６の繋ぎ部材７がニット編みにより構成されて伸縮性を発揮するようにしても良い。尚、前記繋ぎ部７は、手の平側にも設けてよい。
【００１４】
そして、前記連結部６の連結手段が、この実施例では、逢着であり、また、内部は、親指挿入部２と人差し指挿入部３との間に区画壁は存在しないが、この区画壁を設けてもよい。
尚、この連結部６は、図３に示す正面図で、逢着を示しているが、この手の平側が可能であれば、親指挿入部と人差し指部挿入部とが一枚物としてカットしたものを用いてもよい。
【００１５】
【発明の効果】
本発明によれば、ゴルフの左手（右利きの場合）の握りにおいて、親指と人差し指のＶ字握りを強制的に行うことが出来ながら、特に手の甲側における親指及び人差し指の長手方向及び幅方向の変位を僅かに許し、以って、握りに窮屈さを感じさせることなく、Ｖ字握りを実質的に維持しつつ、スムースなスイングを行いことができて、正確なショットを放つのに貢献できるという利点がある。
本発明のその他の利点は、発明の実施の態様の項及び実施例の項に記載の通りである。
【図面の簡単な説明】
【図１】本発明のゴルフ用手袋の使用状態を示す斜視図である。
【図２】本発明のゴルフ用手袋の背面図である。
【図３】本発明のゴルフ用手袋の正面図である。
【図４】従来技術を示すゴルフ用手袋の正面図である。
【符号の説明】
１　手袋
２　親指挿入部
３　人差し指挿入部
６　連結部
７　繋ぎ部材
【図１】
2004041653.tif 000003
【図２】
2004041653.tif 000004
【図３】
2004041653.tif 000005
【図４】
2004041653.tif 000006